【手続補正書】
【提出日】平成25年2月6日(2013.2.6)
【手続補正１】
【補正対象書類名】特許請求の範囲
【補正対象項目名】全文
【補正方法】変更
【補正の内容】
【特許請求の範囲】
【請求項１】
微粉炭が導かれるガス化炉と、
該ガス化炉においてガス化された燃料ガスが燃焼する燃焼器を備えるガスタービンと、
該ガスタービンから導出された排ガスによって蒸気を発生する排熱回収ボイラと、
該排熱回収ボイラにおいて発生した蒸気が導かれる蒸気タービンと、
該蒸気タービンおよび前記ガスタービンによって駆動されて発電する発電機と、
前記ガスタービンから導出された排ガスの一部が導かれて前記ガス化炉に導かれる前の前記微粉炭を乾燥する微粉炭機と、
前記微粉炭機から導出された排ガスが導かれて二酸化炭素を回収する二酸化炭素回収装置と、を備え、
前記二酸化炭素により、前記微粉炭を前記ガス化炉へと搬送することを特徴とする石炭ガス化複合発電プラント。
【請求項２】
前記ガス化炉に前記微粉炭またはチャーを供給するホッパ内が空の場合には、前記ホッパ内の排ガスを二酸化炭素を貯留する貯留設備に導く請求項１に記載の石炭ガス化複合発電プラント。
【手続補正２】
【補正対象書類名】明細書
【補正対象項目名】００１３
【補正方法】変更
【補正の内容】
【００１３】
上記課題を解決するために、本発明の石炭ガス化複合発電プラントは、以下の手段を採用する。
すなわち、本発明に係る石炭ガス化複合発電プラントによれば、微粉炭を微粉砕する粉砕機と、該粉砕機が微粉砕した石炭が導かれるガス化炉と、該ガス化炉においてガス化された燃料ガスが燃焼する燃焼器を備えるガスタービンと、該ガスタービンから導出された排ガスによって蒸気を発生する排熱回収ボイラと、該排熱回収ボイラにおいて発生した蒸気が導かれる蒸気タービンと、該蒸気タービンおよび前記ガスタービンによって駆動されて発電する発電機と、前記ガスタービンから導出された排ガスの一部が導かれて前記ガス化炉に導かれる前の前記微粉炭を乾燥する微粉炭機と、前記微粉炭機から導出された排ガスが導かれて二酸化炭素を回収する二酸化炭素回収装置と、を備え、前記二酸化炭素により、前記微粉炭を前記ガス化炉へと搬送することを特徴とする。
【手続補正３】
【補正対象書類名】明細書
【補正対象項目名】００１５
【補正方法】変更
【補正の内容】
【００１５】
本発明は、二酸化炭素回収装置を設けて、微粉炭機から導出される排ガス中の二酸化炭素を回収することとした。二酸化炭素回収装置によって回収される二酸化炭素は、不活性ガスである。そのため、回収した二酸化炭素をガス化炉へ石炭を搬送するために用いることができる。したがって、不活性ガスを別途発生させる装置を設ける必要がなくなり、石炭ガス化複合発電プラントの設備コストを低減することができ、かつ、石炭ガス化複合発電プラントの効率低下を防止することができる。
【手続補正４】
【補正対象書類名】明細書
【補正対象項目名】００１６
【補正方法】変更
【補正の内容】
【００１６】
さらに、本発明の参考例に係る石炭ガス化複合発電プラントによれば、前記二酸化炭素回収装置は、前記ガス化炉と前記燃焼器との間に設けられることを特徴とする。
【手続補正５】
【補正対象書類名】明細書
【補正対象項目名】００１８
【補正方法】変更
【補正の内容】
【００１８】
さらに、本発明の参考例に係る石炭ガス化複合発電プラントによれば、前記二酸化炭素回収装置の上流側には、燃料ガス中の一酸化炭素を所定量の二酸化炭素に製造する一酸化炭素シフトコンバータが設けられることを特徴とする。
【手続補正６】
【補正対象書類名】明細書
【補正対象項目名】００２３
【補正方法】変更
【補正の内容】
【００２３】
さらに、本発明の参考例に係る石炭ガス化複合発電プラントによれば、前記二酸化炭素回収装置は、前記排熱回収ボイラの下流側に設けられることを特徴とする。
【手続補正７】
【補正対象書類名】明細書
【補正対象項目名】００２８
【補正方法】変更
【補正の内容】
【００２８】
【図１】本発明の第１実施形態に係る石炭ガス化複合発電プラントの概略構成図である。
【図２】本発明の第１参考例に係る石炭ガス化複合発電プラントの概略構成図である。
【図３】本発明の第２参考例に係る石炭ガス化複合発電プラントの概略構成図である。
【手続補正８】
【補正対象書類名】明細書
【補正対象項目名】００５３
【補正方法】変更
【補正の内容】
【００５３】
［第１参考例］
以下、本発明の第１参考例について説明する。本参考例の石炭ガス化複合発電プラントは、ガス精製装置と燃焼器との間に二酸化炭素回収装置を設け、二酸化炭素回収装置の上流側に一酸化炭素シフトコンバータを設ける点で第１実施形態と相違し、その他は同様である。したがって、同一の構成、二酸化炭素の回収、供給の流れについては、同一の符号を付してその説明を省略する。
【手続補正９】
【補正対象書類名】明細書
【補正対象項目名】００５４
【補正方法】変更
【補正の内容】
【００５４】
図２には、本発明の第１参考例に係る石炭ガス化複合発電プラントの概略構成図が示されている。
二酸化炭素回収装置１３は、ガス精製装置１５とガスタービン１６との間に設けられている。また、一酸化炭素を二酸化炭素に転換する一酸化炭素シフトコンバータ２８は、ガス精製装置１５と二酸化炭素回収装置１３との間に設けられている。
【手続補正１０】
【補正対象書類名】明細書
【補正対象項目名】００５７
【補正方法】変更
【補正の内容】
【００５７】
以上の通り、本参考例に係る石炭ガス化複合発電プラントによれば、以下の作用効果を奏する。
石炭ガス化炉９によって生成される燃料ガス中には、二酸化炭素が含まれている。そこで、ガス精製装置１５と、ガスタービン１６の燃焼器１７との間に二酸化炭素回収装置１３を設けることとした。そのため、石炭ガス化炉９から導出された燃料ガス中の二酸化炭素を二酸化炭素回収装置１３によって回収することができる。したがって、不活性ガスを別途発生させる必要がないため、石炭ガス化複合発電プラント１の設備コストを低減するとともに、石炭ガス化複合発電プラント１の効率低下を防止することができる。
【手続補正１１】
【補正対象書類名】明細書
【補正対象項目名】００６１
【補正方法】変更
【補正の内容】
【００６１】
［第２参考例］
以下、本発明の第２参考例について説明する。本参考例の石炭ガス化複合発電プラントは、排熱回収ボイラと煙突との間に二酸化炭素回収装置を設ける点で第１実施形態と相違し、その他は同様である。したがって、同一の構成、二酸化炭素の回収、供給の流れについては、同一の符号を付してその説明を省略する。
【手続補正１２】
【補正対象書類名】明細書
【補正対象項目名】００６２
【補正方法】変更
【補正の内容】
【００６２】
図３には、本発明の第２参考例に係る石炭ガス化複合発電プラントの概略構成図が示されている。
排熱回収ボイラ２３と煙突２４との間には、二酸化炭素回収装置１３が設けられている。
排熱回収ボイラ２３に導かれた水に熱を与えた排ガスには、二酸化炭素が１０％程度含まれている。排ガス中の二酸化炭素は、二酸化炭素回収装置１３によって回収される。二酸化炭素回収装置１３によって回収された二酸化炭素は、二酸化炭素回収装置用圧縮機２７によって昇圧されて微粉炭ホッパ７と、チャーホッパ１２と、ポーラスフィルタ１０とへ導いても良い（図示しない）。
二酸化炭素回収装置１３によって回収されなかった二酸化炭素を含む排ガスは、煙突２４へと導かれる。
【手続補正１３】
【補正対象書類名】明細書
【補正対象項目名】００６３
【補正方法】変更
【補正の内容】
【００６３】
以上の通り、本参考例に係る石炭ガス化複合発電プラントによれば、以下の作用効果を奏する。
二酸化炭素回収装置１３は、排熱回収ボイラ２３の下流側に設けることとした。そのため、排熱回収ボイラ２３から導出される排ガス中の二酸化炭素は、二酸化炭素回収装置１３によって回収することができる。したがって、石炭ガス化複合発電プラント１から排出される二酸化炭素の量を削減することができる。